(57)【要約】【課題】  SDカード及びminiSDカードが共用できる両用メモリーカード接続器を提供する。【解決手段】  台座ボディ１０はSDカード２０及びminiSDカード３０に相対する上、下部収容空間１１、１２を有し、いくつかのガイド片挿入溝１３を形成し、ふたつの挟み片挿入溝１４を形成している。いくつかのガイド片４０は、ガイド片挿入溝１３に装着され、且つSDカード２０及びminiSDカード３０に相対しそれぞれ電気的に接続される隆起部４１、４２を形成している。蓋ボディ５０は、台座ボディ１０上縁に合わされ、その蓋面は活動部５１を形成し、活動部５１には引っ掛け押さえ部５２があり、両側には引っ掛け押さえ部５２内端と接続するストッパー片５３を形成し、且つ二つのストッパー片５３には押さえ部５３１がある。ふたつの挟み片６０は前端に半円部６１を形成し、ふたつの挟み片挿入溝１４に装着され、且つストッパー片５３の外縁に貼り付けられている。【選択図】  図１
0003105276.tif 000002
【実用新案登録請求の範囲】
【請求項１】
両用メモリーカード接続器であって、
ひとつの台座ボディを備え、その台座ボディはSDカード及びminiSDカードに相対し、上部が広く下部が狭く、且つ上部が深く下部が浅い上、下部収容空間を有し、中段に於いていくつかのガイド片挿入溝を形成し、その両側にはふたつの挟み片を有する挿入溝を形成し、
いくつかのガイド片を備え、そのいくつかのガイド片は前記台座ボディのいくつかのガイド片挿入溝に装着され、且つSDカード及びminiSDカードに相対し、それぞれ電気的に接続される隆起部を形成し、
ひとつの蓋ボディを備え、その蓋ボディは前記台座ボディの上縁に合わされ、その蓋面はひとつの活動部を形成し、その活動部の前端には下に向かい折り曲げられた引っ掛け押さえ部があり、両側に於いてその引っ掛け押さえ部の内端と接続するストッパー片を形成し、且つ二つのストッパー片の下縁には外に向かって伸びる押さえ部があり、
ふたつの挟み片を備え、そのふたつの挟み片は前端に半円部を形成し、前記台座ボディのふたつの挟み片挿入溝に装着され、且つ前記蓋ボディのストッパー片の外縁に貼り付けられていることを特徴とする両用メモリーカード接続器。
【請求項２】
SDカードの書き込み防止タブと同側の位置の挟み片は、同時に書き込み防止のセンサー片となることを特徴とする請求項１に記載の両用メモリーカード接続器。
【請求項３】
各ガイド片は同一ガイド片の中で二股に分かれひとつのSDカードに電気的に接続可能な比較的短い隆起部を形成し、もうひとつminiSDカードに電気的に接続可能な比較的長い隆起部を形成していることを特徴とする請求項１に記載の両用メモリーカード接続器。
【考案の詳細な説明】
【技術分野】
【０００１】
本考案は両用メモリーカード接続器に関し、とくにＳＤカード及びminiSDカード共用可能な設計がされたものに関する。
【背景技術】
【０００２】
電子器具のミニ化の発展の趨勢に従い、メモリーカードもまたミニ化する必要が促されている。そのうち、SD(Securse Digital)規格のメモリーカードと、もうひとつ世に出されたミニ版のminiSDは、最新の携帯電話などの移動電子システム上に応用されている。そして、現在の電子器具の多数は単一規格のメモリーカード接続器しか有しておらず、特定の規格のメモリーカードしか使用できない。これは電子器具のメモリーカードに対する選択使用を制限してきたのみならず、またメモリーカードの使用範囲を制限してきた。
【考案の開示】
【考案が解決しようとする課題】
【０００３】
本考案の主要な目的は、従来の単一のメモリーカードしか接続できない技術の問題をまず解決し、またSDカード及びminiSDカードが共用できる効用がある両用メモリーカード接続器を提供することにある。
【課題を解決するための手段】
【０００４】
上述の目的を達成するため、本考案の構造は、以下のものを含む。
ひとつの台座ボディは、SDカード及びminiSDカードに相対し、上部が広く下部が狭く、且つ上部が深く下部が浅い上、下部収容空間を有し、また中段に於いていくつかのガイド片を有する挿入溝を形成しており、その両側にはふたつの挟み片を有した挿入溝を形成している。
【０００５】
いくつかのガイド片は、その台座ボディのいくつかのガイド片挿入溝に装着されており、且つSDカード及びminiSDカードに相対し、それぞれ電気的に接続される隆起部を形成している。
ひとつの蓋ボディは、その台座ボディ上縁に合わされ、その蓋面はひとつの活動部を形成し、またその活動部前端には下に向かい折り曲げられた引っ掛け押さえ部があり、両側に於いてその引っ掛け押さえ部内端と接続するストッパー片を形成しており、且つ二つのストッパー片の下縁には外に向かって伸びる押さえ部がある。
【０００６】
ふたつの挟み片は、前端に半円部を形成しており、台座ボディのふたつの挟み片の挿入溝に装着されており、且つ蓋ボディのストッパー片の外縁に貼り付けられている。
【考案を実施するための最良の形態】
【０００７】
まず、図１〜図４に示すように、本考案の一実施例による両用メモリーカード接続器は以下のものを含んでいる。
ひとつの台座ボディ１０は、SDカード２０及びminiSDカード３０に相対し、上部が広く下部が狭く、且つ上部が深く下部が浅い上、下部収容空間１１、１２を有し、また中段にいくつかのガイド片を有する挿入溝１３を形成しており、その両側にはふたつの挟み片を有した挿入溝１４を形成している。
【０００８】
いくつかのガイド片４０は、台座ボディ１０のいくつかのガイド片挿入溝１３に装着されており、且つSDカード２０及びminiSDカード３０に相対し、それぞれ電気的に接続される隆起部４１、４２を形成している。
ひとつの蓋ボディ５０は、台座ボディ１０上縁に合わされ、その蓋面はひとつの活動部５１を形成し、またその活動部５１前端には下に向かい折り曲げられた引っ掛け押さえ部５２があり、両側に於いてその引っ掛け押さえ部５２内端と接続するストッパー片５３を形成しており、且つ二つのストッパー片５３の下縁には外に向かって伸びる押さえ部５３１がある。
【０００９】
ふたつの挟み片６０は、前端に半円部６１を形成しており、その台座ボディ１０のふたつの挟み片の挿入溝１４に装着されており、且つその蓋ボディ５０のストッパー片５３の外縁に貼り付けられている。
このような構成に基づき、まず図５、図６に示すように、miniSDカード３０は台座ボディ１０の下部収容空間１２に挿入されており、またいくつかのガイド片４０前端の隆起部４２と電気的接続を形成している。そのうち、miniSDカード３０のサイズの大小はふたつの挟み片６０を外に向かって張り出させることはなく、またふたつの挟み片６０は蓋ボディ５０両側のストッパー片５３下縁の押さえ部５３１を押さえ、活動部５１を押さえつけることとなる。従って、活動部５１前端にぶらさがり設けられている引っ掛け押さえ部５２は、下に向かって引っ掛け押さえる力を形成することが可能となり、miniSDカード３０の位置を定める。
【００１０】
既に述べたガイド片４０は、同一のガイド片４０の中に形成される前、後2個の隆起部４１、４２に於いて、SDカード２０及びminiSDカード３０がそれぞれ接触する。すなわち本実施例の図の示す如く、同一ガイド片４０中に於いて二股に別れ、ひとつのSDカードに電気的接続を与える比較的短い隆起部４１を形成し、及びもうひとつはminiSDカードに電気的接続を与える比較的長い隆起部４２を形成し、実施時に必要及び空間に従い配置できる。
【００１１】
さらに、図７、図８に示すのは、SDカード２０が台座ボディ１０の上部収容空間１１に挿入されているところであり、またいくつかのガイド片４０中段の隆起部４１と共に電気的接続を形成している。そのうち、SDカード２０は挿入の過程の中で、そのサイズによってふたつの挟み片６０を外に向かって張り出させ、蓋ボディ５０の活動部５１をふたつの挟み片６０の制限から脱離させて持ち上げ、同時に活動部５１前端の引っ掛け押さえ部５２の引っ掛け押さえ力、及びふたつの挟み片６０の挟み持つ力は、ＳＤカード２０の位置を定める。既に述べたふたつの挟み片６０は等しい長さの対応状となり、更に本実施例の図の掲げるところの如く、ひとつが比較的長く、もうひとつの挟み片が比較的短い形態を呈しているため、これにより、ＳＤカード２０の書き込み防止タブ２１と同じ側の比較的短い挟み片６０の位置に於くことができ、同時に書き込み防止のセンサー片となる。
これにより、ＳＤカードを挿入接続することができ、miniSDカードを挿入接続することができ、また単一規格のメモリーカードを挿入接続できるに限らず、ＳＤカード及びminiSDカードを共用できる効用を備えている。
【図面の簡単な説明】
【００１２】
【図１】本考案の一実施例による両用メモリーカード接続器の分解立体図である。
【図２】本考案の一実施例による両用メモリーカード接続器の立体図である。
【図３】本考案の一実施例による両用メモリーカード接続器の俯瞰図である。
【図４】本考案の一実施例による両用メモリーカード接続器の正面図である。
【図５】本考案の一実施例による両用メモリーカード接続器にmini SDカードを使用した状態を示す俯瞰図である。
【図６】図５中の６−６線断面図である。
【図７】本考案の一実施例による両用メモリーカード接続器にSDカードを使用した状態を示す俯瞰図である。
【図８】図７中の８−８線断面図である。
【符号の説明】
【００１３】
１０  台座ボディ、１１  上部収容空間、１２  下部収容空間、１３  ガイド片挿入溝、
１４  挟み片挿入溝、２０  ＳＤカード、２１  書き込み防止タブ、３０  miniSDカード、４０  ガイド片、４１  隆起部、４２  隆起部、５０  蓋ボディ、５１  活動部、５２  引っ掛け押さえ部、５３  ストッパー片、６０  挟み片、６１、半円部、５３１  押さえ部
【図１】
0003105276.tif 000003
【図２】
0003105276.tif 000004
【図３】
0003105276.tif 000005
【図４】
0003105276.tif 000006
【図５】
0003105276.tif 000007
【図６】
0003105276.tif 000008
【図７】
0003105276.tif 000009
【図８】
0003105276.tif 000010